(57)【要約】【課題】簡易な構成で、鏡を取り付け可能な扉材（取付基体）の表面からの離間距離が同一である照射面での照度を均一にした照明装置を提供する。【解決手段】照明装置２０は、扉材１３の少なくとも一方の端部１３ｐ，１３ｑの裏面１３ｂに設けられている光源ユニット２６内の光源と、前記光源による光の照度を扉材１３の表面１３ａからの離間距離ｄが同一である照射面Ｓに沿って均一とする配光調整部材２４としての導光板３０と、を備えている。【選択図】図６
2018056050.tif 000002
【特許請求の範囲】
【請求項１】
取付基体に設けられている光源と、
前記光源による光の照度を前記取付基体の表面からの離間距離が同一である照射面に沿って均一とする配光調整部材と、を備えていることを特徴とする照明装置。
【請求項２】
前記光源が前記取付基体の端部に設けられている請求項１に記載の照明装置。
【請求項３】
前記光源が前記取付基体の裏面に設けられている請求項１または請求項２に記載の照明装置。
【請求項４】
前記光源および前記配光調整部材が前記取付基体の両端部に設けられている請求項１から請求項３のいずれか一項に記載の照明装置。
【請求項５】
前記光源が前記取付基体の端部に設けられ、
前記配光調整部材は、前記光源の出射面に連設されると共に前記出射面から前記取付基体の前記一方の端部を囲むように前記取付基体の表面まで延設された導光板で構成されている請求項１から請求項４のいずれか一項に記載の照明装置。
【請求項６】
前記導光板には、前記光源から導かれた光を前記照射面の中央より前記光源から遠ざかる方向に向ける出射方向調整部が設けられている請求項５に記載の照明装置。
【請求項７】
前記出射方向調整部は、前記導光板において前記取付基体の表面に対向する面に形成されたプリズムで構成されている請求項６に記載の照明装置。
【請求項８】
前記導光板は透明材料からなる請求項５から請求項７のいずれか一項に記載の照明装置。
【請求項９】
請求項１から請求項８のいずれか一項に記載の照明装置を備え、
前記取付基体の表面に鏡が設けられていることを特徴とする照明付き鏡。
【請求項１０】
請求項１から請求項８のいずれか一項に記載の照明装置と、
前記取付基体の表面に設けられた鏡と、を備えていることを特徴とする洗面化粧台。
【発明の詳細な説明】
【技術分野】
【０００１】
本発明は、化粧台などに配される照明装置、照明付き鏡および洗面化粧台に関する。
【背景技術】
【０００２】
従来、化粧台には、表面に鏡が設けられたミラーキャビネットが用いられている。ミラーキャビネットは、開閉可能な板状の部材（取付基体）の表面に鏡が取り付けられており（以下、「ミラー扉」という）、該ミラー扉の裏側が収納部として機能するものがあったり、鏡の上方や側方に照明器具が設けられ、この照明器具から出射された光がミラー扉の前に立つ使用者を照明する機能を有したものが知られている。
【０００３】
例えば、特許文献１には、収容部の左右の両端部近傍に設けられた照明灯（光源）と、化粧鏡（ミラー扉）の左右の両端部近傍に設けられ、縦方向に沿って延びる帯状発光面と、を有する化粧台が開示されている。また、特許文献２には、化粧台の三つの化粧鏡（ミラー扉）のうち、中央の化粧鏡の左右にハーフミラーが設けられ、その裏側の収容部に首振り可能かつスライド可能な照明装置が設けられた洗面化粧台（化粧台）が開示されている。
【先行技術文献】
【特許文献】
【０００４】
【特許文献１】特開平５−１５４２０号公報
【特許文献２】特開２００７−６１５２６号公報
【発明の概要】
【発明が解決しようとする課題】
【０００５】
しかしながら、特許文献１に記載されている化粧台では、光源から化粧鏡の中心に向けて光が発せられている。そのため、幅広の化粧台では、該化粧鏡の表面からの離間距離が同一である照射面の中央部の照度が高くなる。一方、照明灯とは反対側には光が届きにくいので、照度が低くなり、照射面での照度の差が生じる。したがって、例えば化粧鏡に向かって二人で並んで化粧台を使用する場合は、照度の低い位置に二人の顔が来ることになり、顔が暗く写ってしまうことになる。また、一人で使用する場合であっても、立つ位置によって照度が大きく異なるため、顔の写り方が毎回異なってしまう、つまり、均一な照度で使用することが難しいという問題があった。以下、本明細書において、「照度が均一である」とは、照射面において最も高い照度が最も低い照度の１倍以上１０倍以下であることをいう。なお、照射面において最も高い照度は最も低い照度の１倍以上５倍以下であることが好ましく、これにより照度がより均一になる。
【０００６】
また、従来の化粧台では、光源の角度などによって影が生じることがあった。特許文献２に記載されている洗面化粧台では、影ができないようにするために、上述のように首振り可能に構成された照明装置の方向を調整することで、使用者の顔全体を照明することができるように構成されている。しかしながら、特許文献２に記載されている洗面化粧台では、照明装置が向けられた範囲では照度が高くなるが、その範囲外では照度が低くなるため、幅広な洗面化粧台においては均一な照度で使用することが難しいという問題が残る。また、特許文献２に記載されている洗面化粧台では、照明装置を首振り可能かつスライド可能とするため、部品数が増加すると共に、可動部分や駆動装置を有することで耐久性などの信頼性が低下するという問題があった。
【０００７】
本発明は、簡易な構成で、鏡などを取り付け可能な取付基体の表面からの離間距離が同一である照射面での照度を均一にした照明装置、照明付き鏡および洗面化粧台を提供する。
【課題を解決するための手段】
【０００８】
本発明に係る照明装置は、取付基体に設けられている光源と、前記光源による光の照度を前記取付基体の表面からの離間距離が同一である照射面に沿って均一とする配光調整部材と、を備えていることを特徴とする。
【０００９】
上述の構成によれば、光源から発せられた光が配光調整部材によって照射面に沿って均一に照射される。したがって、照明装置が簡易に構成され、かつ照射対象の使用者が照射面のどの位置にいても、使用者に略均一の光が当たる。
【００１０】
本発明に係る照明装置では、前記光源が前記取付基体の端部に設けられていてもよい。
【００１１】
上述の構成によれば、取付基体の中心部を広く使用可能になるので、例えば、取付基体の表面に大面積のミラーが貼り付けられた場合など、鏡の意匠性が高まる。また、光源が取付基体の中央ではなく端部に設けられるので、光源の設置作業がし易い。
【００１２】
本発明に係る照明装置では、前記光源が前記取付基体の裏面に設けられていてもよい。
【００１３】
上述の構成によれば、光源が取付基体の裏面に設けられ、表側から（すなわち、使用者には）見えないため、照明装置が取り付けられた取付基体の意匠性が高まる。
【００１４】
本発明に係る照明装置では、前記光源および前記配光調整部材が前記取付基体の両端部に設けられていることが好ましい。
【００１５】
上述の構成によれば、照射面の両端部から光が照射されるので、照射対象の使用者が照射面にいても影がなくなる。したがって、例えば、使用者が照射面のどの位置にいても顔が明るく照らされる。
【００１６】
本発明に係る照明装置では、前記配光調整部材は、前記光源の出射面に連設されると共に前記出射面から前記取付基体の前記一方の端部を囲むように前記取付基体の表面まで延設された導光板で構成されていることが好ましい。
【００１７】
上述の構成によれば、光源から発せられた光が導光板によって表面まで導かれ、導光板の端面から出射され、照射面に均一に照射される。したがって、意匠性が確保されると共に、照射対象の使用者が照射面のどの位置にいても、使用者全体に光が当たる。
【００１８】
本発明に係る照明装置では、前記導光板には、前記光源から導かれた光を前記照射面の中央より前記光源から遠ざかる方向に向ける出射方向調整部が設けられていることが好ましい。
【００１９】
上述の構成によれば、光源から発せられ、導光板に導入された光が出射方向調整部によって照射面の中央より光源とは反対側に向けられ、導光板から出射される。本来、照射面の中央より光源から遠ざかる方向には光が届きにくいが、その方向に光が届くので、照射面の中央より光源から遠い部分の照度が高くなる。したがって、光源から発せられた光が照射面に沿ってより均一に照射される。
【００２０】
本発明に係る照明装置では、前記出射方向調整部は、前記導光板において前記取付基体の表面に対向する面に形成されたプリズムで構成されていてもよい。
【００２１】
上述の構成によれば、光源から発せられ、導光板に導入された光がプリズムによって照射面の中央より光源から遠ざかる方向に向けられ、導光板から出射されるので、上述のように照射面の中央よりから遠い部分の照度が高くなる。したがって、光源から発せられた光が照射面に沿ってより均一に照射される。また、導光板において取付基体の表面に対向する面に形成されていることでプリズムが導光板における使用者側の面に露出されない。そのため、プリズムが傷付きにくくなるうえに、導光板の拭き掃除も可能になる。結果として、照明装置の手入れが容易になり、照明装置の信頼性が高まる。
【００２２】
本発明に係る照明装置では、前記導光板は透明材料からなることが好ましい。
【００２３】
上述の構成によれば、導光板が透明材料で構成されることで、照明装置の消灯時には使用者側から導光板があまり気にならず、かつ取付基体が見えるようになり、意匠性がより高まる。以下、本明細書において、「透明である」とは、光源から発せられた光を８０％以上透過させる状態をいう。
【００２４】
本発明に係る照明付き鏡は、上述の照明装置を備え、前記取付基体の表面に鏡が設けられていることを特徴とする。
また、本発明に係る洗面化粧台は、上述の照明装置と、前記取付基体の表面に設けられた鏡と、を備えていることを特徴とする。
【００２５】
上述の構成によれば、表面に鏡が設けられた取付基体（いわゆる、ミラー扉）に上述の照明装置が設けられることで、照明付き鏡や洗面化粧台の使用者が照射面のどの位置にいても、使用者全体に光が略均一に当たる。したがって、簡易な構成で、鏡の表面からの離間距離が同一である照射面での照度が均一となる照明付き鏡や洗面化粧台が実現される。
【発明の効果】
【００２６】
本発明に係る照明装置、照明付き鏡および洗面化粧台によれば、簡易な構成で、鏡（取付基体）の表面からの離間距離が同一である照射面での照度を均一にすることができる。
【図面の簡単な説明】
【００２７】
【図１】本発明を適用した洗面化粧台の概略図である。
【図２】本発明を適用した洗面化粧台のミラー扉の正面図である。
【図３】本発明を適用した洗面化粧台のミラー扉の図であり、図２に示すＡ−Ａ線で矢視した断面図である。
【図４】本発明を適用した洗面化粧台のミラー扉の背面図である。
【図５】本発明を適用した洗面化粧台のミラー扉の一部を拡大した平面図である。
【図６】本発明を適用した洗面化粧台の使用時の様子を説明するための平面図である。
【図７】実施例において、鏡の表面側から見て左側の照明装置の白色ＬＥＤのみを点灯させた際の照射分布図および照度のヒストグラムである。
【図８】実施例において、鏡の表面側から見て右側の照明装置の白色ＬＥＤのみを点灯させた際の照射分布図および照度のヒストグラムである。
【図９】図７および図８に示す照度分布図のそれぞれのＹ＝０の位置における照度の変化を抽出したグラフである。
【図１０】鏡の表面側から見て左側の照明装置の白色ＬＥＤの照度と右側の照明装置の白色ＬＥＤの照度との比を示すグラフである。
【図１１】実施例において、鏡の表面側から見て右側および左側の照明装置の白色ＬＥＤを点灯させた際の照射分布図および照度のヒストグラムである。
【図１２】図１１に示す照度分布図のそれぞれのＹ＝０の位置における照度の変化を抽出したグラフである。
【発明を実施するための形態】
【００２８】
以下、本発明を適用した照明装置、照明付き鏡および洗面化粧台の一実施形態（以下、本実施形態の照明装置、照明付き鏡、洗面化粧台とすることがある）について、図面を参照して説明する。なお、以下の説明で用いる図面は模式的なものであり、長さ、幅及び厚みの比率などは実際のものと同一とは限らず、適宜変更することができる。
【００２９】
図１に示すように、本実施形態の洗面化粧台１は、ミラーキャビネット６を備え、住宅の洗面所などに設置されているものである。洗面化粧台１には、下部の洗面台２の上面に水栓３およびハンドル４を備えた洗面ボウル５が設けられている。洗面ボウル５の上部には、支持部を介して多面鏡のミラーキャビネット６が設置されている。
【００３０】
図２および図３に示すように、ミラーキャビネット６の本体８の内部には、収納空間を有する収納部９が設けられている。本体８の収納部９は、中仕切り板１２によって、中央の収納部９Ａと、その両側の収納部９Ｂ，９Ｃに仕切られている。収納部９Ａの収容空間は、収納部９Ｂ，９Ｃのそれぞれの収容空間より大とされている。
【００３１】
収納部９Ａ，９Ｂ，９Ｃの開口にはそれぞれ、ミラー扉１０Ａ，１０Ｂ，１０Ｃが取り付けられている。以下では、ミラー扉１０Ａ，１０Ｂ，１０Ｃについて、それぞれ区別する必要がない場合はまとめてミラー扉１０と記載し、ミラー扉１０Ａ，１０Ｂ，１０Ｃに関連する構成要素についても同様に記載する。
【００３２】
ミラー扉１０は、扉材（取付基体）１３と、扉材１３の表面に貼り付けられたミラー（鏡）１４と、を備えている。それぞれの収納部９の大きさに応じて、中央のミラー扉１０Ａの幅は、その両側のミラー扉１０Ｂ，１０Ｃの幅より広く設定されている。
【００３３】
使用者側から見て中央のミラー扉１０Ａの右側の端部は、インセットタイプのスライド蝶番１５によって中仕切り板１２に連結されている。閉じている状態のミラー扉１０Ａの両端部は、ミラー扉１０Ａの両側の中仕切り板１２に形成された凹所内に収まっている。左側のミラー扉（照明付き鏡）１０Ｂの右側の端部と右側のミラー扉（照明付き鏡）１０Ｃの左側の端部は、アウトセットタイプのスライド蝶番１６によって中仕切り板１２に連結されている。閉じている状態のミラー扉１０Ｂの左側の端部とミラー扉の１０Ｃの右側の端部はそれぞれ、本体８の外側の側板１１との間に間隔をあけて配置されている。また、ミラー扉１０Ｂの左側の端部とミラー扉の１０Ｃの右側の端部と側板１１のそれぞれの上下方向の端部に設けられたマグネットＭによって、ミラー扉１０Ｂ，１０Ｃのそれぞれは側板１１に当接離間可能とされている。
前述の構成を備えることで、中央のミラー扉１０Ａと左側のミラー扉１０Ｂが左開きであり、右側のミラー扉１０Ｃが右開きとなっている。すなわち、ミラー扉１０Ａ，１０Ｂ，１０Ｃは、三面鏡として使用可能とされている。
【００３４】
左側のミラー扉１０Ｂの左側の端部と右側のミラー扉１０Ｂの右側の端部には、本実施形態の照明装置２０が設けられている。左側のミラー扉１０Ｂの左側の端部と右側のミラー扉１０Ｃの右側の端部は、ミラーキャビネット６の左右両側にあたるので、言い換えれば、本実施形態の照明装置２０は、ミラーキャビネット６の左右両側の端部に設けられている。
【００３５】
図３および図４に示すように、照明装置２０は、光源２２と、配光調整部材２４と、を備えている。
【００３６】
光源２２は、ミラー扉１０Ｂの扉材１３の左側の端部（一方の端部）１３ｐおよびミラー扉１０Ｃの扉材１３の右側の端部（一方の端部）１３ｑに沿って裏面１３ｂに設けられた光源ユニット２６の本体２７に内蔵されている。光源ユニット２６は、本体２７から扉材１３の端部１３ｐ（すなわち、光源ユニット２６が設けられた端部）とは反対側の方向に張り出した張出部２８が扉材１３の裏面１３ｂにネジ止めされることで、扉材１３に固定されている。光源２２は、光源２２に電圧などを供給するための電源（図示略）と、電源からの電圧などを制御するための制御部（図示略）に接続されている。前述の電源および制御部は、本体２７に内蔵されていてもよく、例えば収納部９や洗面台２の内部に設置されていてもよい。後者の場合は、本体２７に形成された貫通孔（図示略）に挿通された電源線や制御線が光源２２と電源や制御部に接続されている。
【００３７】
光源２２としては、長寿命で高輝度であり、かつ小型である点から、白色ＬＥＤが好適である。なお、光源２２の種類や性能は、照明装置２０の目的を勘案して、適宜変更される。本体２７には、複数の光源２２が扉材１３の上下方向に沿って互いに所定の間隔をあけて配置されている。
【００３８】
図５には、ミラー扉１０Ｂ，１０Ｃのそれぞれに設けられている照明装置２０のうち、ミラー扉１０Ｂの左側の端部に設けられている照明装置２０を拡大して示している。
図５に示すように、本体２７の端部側の側面２７ｃには、上下方向略全長にわたって凹部２９が形成されている。凹部２９の底部２９ｅには、光源２２が配置されており、光源２２から発せられた光が凹部２９から外方に出射されるように出射面２３が外方に向けられている。
【００３９】
配光調整部材２４は、光源２２による光の照度をミラー１４の表面１４ａからの離間距離（すなわち、扉材１３の表面１３ａからの離間距離）ｄが同一である照射面Ｓに沿って均一とするためのものである（図６参照）。
図５に示すように、本実施形態の配光調整部材２４は、導光板３０で構成されている。導光板３０は、光源２２の出射面２３に連設されると共に、出射面２３から扉材１３の端部１３ｐを囲むように扉材１３の表面１３ａまで延設されている。本実施形態では、扉材１３の表面１３ａにミラー１４が貼り付けられているので、扉材１３と導光板３０の出射側の端部３０ｚ側との間にはミラー１４が介在している。
【００４０】
本体２７に形成された凹部２９は、光源２２から発せられた光をあらゆる方向に向けて拡散させるための拡散板４０が嵌められている。前述のように、複数の光源２２が扉材１３の上下方向に沿って互いに所定の間隔をあけて配置されているので、拡散板４０が設けられていることで、光源２２から発せられた光があらゆる方向に向けられ、結果として拡散板４０の出射側の端面４０ｚの全体から光が略均等に出射される。導光板３０の入射側の端部３０ｘは、拡散板４０を介して光源２２の出射面２３に連設されている。したがって、拡散板４０から出射した光は、導光板３０の入射側の端部３０ｘの端面から導光板３０の内部に円滑に導かれる。
【００４１】
導光板３０は、前述したように、扉材１３の側端部を囲むように形成されているため、入射側の端部３０ｘから出射側の端部３０ｚに向って、直線部３１、曲部３２、直線部３３、曲部３４、直線部３５をその順に備えている。なお、導光板３０の形状は、光源ユニット２６およびミラー扉１０Ｂの形状などに応じて、適宜変更され、例えば直線部３１，３３は省略されてもよい。
【００４２】
光源２２から発せられた光の進行方向（図５に示すＬ方向）における直線部３１の長さは、光源ユニット２６から左側に突出するミラー扉１０Ｂの長さなどを勘案し、適宜設定されている。
Ｌ方向における曲部３２，３４の曲率半径は、光源２２からの光の波長と導光板３０の屈折率などを勘案し、光源２２から導光板３０に導かれた光の曲げ損失が所定の範囲内に抑えられるように、適宜設定されている。
Ｌ方向における直線部３３の長さは、曲部３２，３４の曲率半径とミラー扉１０Ｂの厚みなどを勘案し、適宜設定されている。
【００４３】
Ｌ方向における直線部３５の長さは、ミラーキャビネット６の幅や、後述する照射面Ｓとの離間距離、導光板３０の出射側の端部３０ｚから出射した光の伝搬方向等を勘案し、洗面化粧台１の使用者側から見た際の意匠性を損なわない範囲内で適宜設定されている。
【００４４】
導光板３０には、出射方向調整部３６が設けられている。本実施形態の出射方向調整部３６は、プリズム３７で構成されている。プリズム３７は、導光板３０において扉材１３の側面１３ｃおよび表面１３ａに対向する面、すなわち曲部３４および直線部３５の内側の側面３４ｂ，３５ｂに形成されている。また、プリズム３７は、Ｌ方向に沿って所定の周期を有すると共に、導光板３０の上下方向に延在している。プリズム３７の周期と高さなどは、光源２２から導かれた光を後述する照射面Ｓの中央より光源２２から遠ざかる方向に向けるように、適宜設計されている。
【００４５】
導光板３０の出射側の端部３０ｚは、仮想端面３０ｖから突出し、かつ湾曲するように形成されている。すなわち、導光板３０の出射側の端部３０ｚには、湾曲面３８が形成されている。湾曲面３８の曲率半径などは、光源２２から導かれた光を後述する照射面Ｓの中央より光源２２から遠ざかる方向に向けるように、適宜設計されている。
【００４６】
導光板３０の材質は、光源２２から発せられた光を導光可能なものであればよく、特に限定されない。光源２２から発せられた光をより多く照射面Ｓに照射する目的から、導光板３０の材質は、光源２２から発せられた光を８０％以上透過可能な透明材質で構成されていることが好ましい。導光板３０を構成し、白色ＬＥＤのように可視光線に対して透明な材質としては、軽量で安価な点から、アクリル樹脂が好適であり、アクリル樹脂の他にはポリエチレン樹脂やポリプロピレン樹脂、石英、光学ガラスなどが挙げられる。樹脂製の導光板３０は、例えば金型成形法や押出成形法によって製造可能である。
【００４７】
ミラー扉１０Ｃの右側の端部には、ミラー扉１０Ｂの左側の端部に設けられている上述の照明装置２０と同様の構成を備えた照明装置２０が左右反転させた状態で設けられている。
【００４８】
以上説明した本実施形態の照明装置２０は、上述の構成を備えていることで、図６に示すように、光源２２から発せられた光を配光調整部材２４によって照射面Ｓに沿って均一に照射することができる。したがって、照明装置２０を簡易に構成し、かつ照射対象の使用者Ｎが照射面Ｓのどの位置にいても、使用者Ｎに対して均一に光を当てることができる。また、光源２２がミラー扉１０Ｂ，１０Ｃの扉材１３の裏面１３ｂに設けられ、表面１３ａ側（すなわち、使用者Ｎ側）から見えないため、洗面化粧台１の意匠性を高めることができる。
【００４９】
また、本実施形態の照明装置２０では、ミラーキャビネット６の左右両側にあたる左側のミラー扉１０Ｂの左側の端部と右側のミラー扉１０Ｃの右側の端部に照明装置２０が設けられているので、照射面Ｓの両端部から光を照射し、使用者Ｎが照射面Ｓのどの位置にいても影をなくすことができる。したがって、使用者Ｎが照射面Ｓのどの位置にいても使用者Ｎの顔を明るく照らすことができる。このように照明装置２０が扉材１３の表面１３ａの端部設けられているので、表面１３ａに大面積のミラーを貼り付けることもでき、ミラー扉１０Ｂ，１０Ｃや洗面化粧台１の意匠性を高めることができる。さらに、光源２２の設置作業もし易くなる。
【００５０】
また、本実施形態の照明装置２０では、配光調整部材２４として導光板３０を用いているので、図５に示すように、扉材１３の裏面１３ｂに設けられた光源２２から発せられた光を導光板３０によって扉材１３の表面１３ａまで導くことができる。詳しくは、光源２２の出射面２３から出射した光を拡散板４０によって拡散し、導光板３０の端部３０ｘから導光板３０内に導入する。導光板３０内に導入された光は、導光板３０の内側の側面（取付基体の表面に対向する面）３０ｂと外側の側面３０ａとの間で全反射しつつ、Ｌ方向に沿って直線部３１、曲部３２、直線部３３、曲部３４、直線部３５の内部をその順に伝搬し、導光板３０の端部３０ｚから出射面Ｓに向けて出射される。このような原理を用いて、光源２２から発せられた光を照射面Ｓに沿って均一に照射することができる。
【００５１】
また、本実施形態の照明装置２０では、導光板３０の曲部３４および直線部３５に出射方向調整部３６を設けているので、光源２２から発せられた後に導光板３０に導入された光のうち多くの光を照射面Ｓの中央より光源とは反対側に向け、導光板３０から出射させることができる。詳しくは、光源２２の出射面２３から出射され、拡散板４０によって拡散された光を直線部３１、曲部３２、直線部３３のそれぞれの内側の側面３１ｂ，３２ｂ，３３ｂと外側の側面３１ａ，３２ａ，３３ａとの間で全反射しつつ、Ｌ方向に伝搬する。続いて、曲部３４および直線部３５に入射した光は、それぞれの内側の側面３４ｂ，３５ｂで出射方向調整部３６により所定の方向に向けて反射され、外側の側面３４ａ，３５ａで全反射されつつ、Ｌ方向に伝搬する。ここで、出射方向調整部３６により光が反射される所定の方向とは、Ｌ方向に伝搬した後に導光板３０の端部３０ｚから出射した際に、光の進行方向が照射面Ｓの中央より光源から遠ざかる方向に向き得る方向を表す。
【００５２】
なお、光源２２から発せられた光の一部は、拡散板４０によってあらゆる方向に拡散されているため、導光板３０の外側の側面３０ａ（特に、側面３１ａ，３２ａ，３３ａ）および内側の側面３０ｂに当たる角度が全反射条件を満たす臨界角より小さくなり、これらの側面３０ａ，３０ｂで反射されずに、導光板３０の外部に漏れ出す。このように導光板３０の外部に漏れた光は、例えば間接照明として活用することができる。
【００５３】
照射面Ｓの中央より光源から遠ざかる程、光源２２との離間距離が大きくなるため、本来、照射面Ｓの中央より光源から遠ざかる方向には光が届きにくいが、その方向に光を照射することができる。そのため、照射面Ｓの中央より光源から遠い部分の照度を高くすることができる。したがって、出射方向調整部３６を設けていない場合に比べて、光源２２から発せられた光を照射面Ｓに沿ってより均一に照射することができる。
【００５４】
また、本実施形態の照明装置２０では、出射方向調整部３６としてプリズム３７を形成しているので、導光板３０に導入された光をプリズム３７によって照射面Ｓの中央より光源から遠ざかる方向に向け、導光板から出射させることができる。したがって、上述のように照射面Ｓの中央よりから遠い部分の照度を高くすると共に、光源２２から発せられた光を照射面Ｓに沿ってさらに均一に照射することができる。また、プリズム３７が導光板３０において扉材１３の少なくとも表面１３ａに対向する面に形成されていることで、プリズム３７を導光板３０における使用者側の面に露出させずに、プリズム３７が傷付くのを防止することができる。また、導光板３０の拭き掃除も可能にすることができる。その結果、照明装置２０の手入れが容易になり、照明装置２０を長期にわたって使用することができ、照明装置２０の信頼性を高めることができる。
【００５５】
また、本実施形態の照明装置２０では、導光板３０がアクリル樹脂等の透明材料で構成されることで、照明装置２０の消灯時には導光板３０が透過し、使用者にミラー扉１０Ｂを見せることができる。従って、照明装置２０の意匠性を高めることができる。
【００５６】
また、本実施形態のミラー扉１０Ｂ，１０Ｃおよび洗面化粧台１では、上述の照明装置２０を備えていることで、照明装置２０と同様の作用効果を奏し、使用者Ｎが照射面Ｓのどの位置にいても、使用者Ｎに対して均一に光を当てることができる。
【００５７】
以上、本発明の好ましい実施形態について詳述したが、本発明は係る特定の実施形態に限定されるものではなく、特許請求の範囲内に記載された本発明の要旨の範囲内において、種々の変更が可能である。
【００５８】
例えば、照明装置２０は、ミラーキャビネット６の左右両側のうち一方、すなわちミラー扉１０Ｂの左側の端部または右側のミラー扉１０Ｃの右側の端部のみに設けられていてもよい。そして、ミラー扉１０Ａ，１０Ｂ，１０Ｃは三面鏡でなくてもよく、一枚ものの単面鏡であってもよい。
【００５９】
また、配光調整部材２４は、扉材１３の端部１３ｐに嵌合するような形状で形成された導光板であってもよい。すなわち、導光板３０の形状は、自在に変形可能である。さらに、配光調整部材２４は、導光板以外の部材で構成されていてもよい。
【００６０】
また、出射方向調整部３６は、マルチレベル（すなわち、階段状の断面を有する）回折格子であってもよく、ランダムドットの凹凸パターンや計算機等で設計されたホログラムパターンなどであってもよく、これら以外の光学的構造で構成されていてもよい。例えば、導光板３０の曲部３４および直線部３５の内側の側面３４ｂ，３５ｂに、光源２２からの光の伝搬方向を調整しつつ、所望のパターンが浮き出す光学的構造を設ければ、照明装置２０の意匠性をさらに高めることができる。
【００６１】
また、扉材１３にはミラー１４の他に、またはミラー１４に加えて木枠やその他の装飾部材が設けられていてもよい。その場合は、導光板３０の形状を扉材１３および扉材１３に取り付けられている部材の全体に適する形状に適宜変更すればよい。
【００６２】
さらに、照明装置２０が取り付けられる取付基体は、例えば天窓の窓材や玄関扉の扉材であってもよく、他の取付基体でもよい。
【００６３】
照明装置２０を天窓の窓材に設ける場合は、光源２２が窓材の少なくとも一方の端部の裏面（すなわち、屋外側の面）に設けられ、導光板３０が光源２２の出射面２３に連設されると共に出射面２３から窓材の光源２２が設けられた端部を囲むように窓材の表面（すなわち、屋内側の面）まで延設されている。なお、ガラス製の窓材のように取付基体が透明材料で構成されている場合は、窓材を導光板３０（すなわち、配光調整部材２４）として活用してもよい。その場合は、光源２２の出射面２３を窓材の光源２２側の端面に当接させ、プリズム３７などの出射方向調整部３６を窓材の光源２２が設けられた端部の裏面に直接形成しても構わない。このように天窓に照明装置２０を設けることで、日中は天窓を通して太陽光を屋内に取り込み、日没後や雨天などの太陽光の取り込みが難しいときは光源２２を点灯させ、天窓部分を照明として利用することができる。
【００６４】
照明装置２０を玄関扉の扉材に設ける場合は、光源２２が扉材において建物に蝶着されていない端部（例えば、インターホン側の端部）の裏面（すなわち、屋内側の面）に設けられ、導光板３０が光源２２の出射面２３に連設されると共に出射面２３から扉材の光源２２が設けられた端部を囲むように窓材の表面（すなわち、屋外側の面）まで延設されている。このように玄関扉に照明装置２０を設けることで、屋外側で玄関扉の前に立った訪問者の全身を照らすことができる。扉材において照明装置２０が設けられた端部側の建築物の壁面にカメラ付きインターホンが設置されていれば、カメラからの映像に訪問者などの全身が明るく表示され、防犯性を高めることができる。
【実施例】
【００６５】
次いで、上述した本発明を適用した一実施形態の照明装置の効果を裏付けるために行った実施例について説明する。なお、本発明は以下の実施例にのみ限定されるものではない。
【００６６】
扉材の表面に単面鏡（ミラー、以下では単に鏡と記載する場合がある）を貼り付けてミラー扉とし、このミラー扉の両側端部に照明装置２０と同様の構成を備えた照明装置を取り付けた。扉材および単面鏡の大きさは、縦８００ｍｍ×横１２００ｍｍとした。照明装置の光源には、白色ＬＥＤ（型番：NFSW757G R9050、製造元：日亜化学工業株式会社）を使用した。扉材の上下方向における光源同士の出射面の中央の間隔は、４ｍｍとした。また、導光板３０の材質は、アクリルとした。
【００６７】
先ず、鏡の表面側（すなわち、照射面側）から見て左側の照明装置の白色ＬＥＤのみに、ＬＥＤ１つ当たり２．８８Ｖの電圧を印加し、点灯させた際の照射面における照度分布を測定した結果を図７に示す。本実施例では、照射面の大きさを縦１０００ｍｍ×鏡１５００ｍｍとし、鏡の表面と照射面との離間距離を３００ｍｍとした。
【００６８】
続いて、鏡の表面側から見て右側の照明装置の白色ＬＥＤのみに左側の照明装置の白色ＬＥＤの点灯時と同じ電圧を印加し、点灯させた際の照射面における照度分布を測定した結果を図８に示す。なお、図７から図１２において、Ｘは横方向の数値を示し、Ｙは縦方向の数値を示している。
【００６９】
図９は、図７および図８に示す照度分布のそれぞれにおいて、測定位置Ｙ＝０ｍｍでの照度の横方向の観測位置による変化を抽出したグラフである。図７から図９を見てわかるように、鏡の表面側から見て左側の照明装置の白色ＬＥＤのみ、または右側の照明装置の白色ＬＥＤのみを点灯させると、例えば横１２００ｍｍの範囲内では、最も高い照度が約３５００ｌｕｘであり、最も低い照度が約５００ｌｕｘであって、最も高い照度が最も低い照度の１倍以上１０倍以下であるから、照射面の照度が均一になっていることがわかる。
【００７０】
図１０は、照射面の横方向の観測位置のそれぞれにおいて、鏡の左側の照明装置の白色ＬＥＤのみを点灯させた際の照度（図９に示すグラフの「（左）」と記載されている照度）と鏡の右側の照明装置の白色ＬＥＤのみを点灯させた際の照度（図９に示すグラフの「（右）」と記載されている照度）のうち小さい方の照度に対する大きい方の照度の比率を示すグラフである。図１０に示すグラフによれば、横方向の中心、すなわちＸ＝０ｍｍでは、鏡の左側と右側のそれぞれの照明装置の白色ＬＥＤの照度比は１であって、鏡の左側と右側のそれぞれの照明装置の白色ＬＥＤの照度は略同じであることがわかる。一方、観測位置が横方向の中心から端部へと離れる程、すなわちＸ＝−６００ｍｍまたはＸ＝＋６００ｍｍに近づく程、鏡の左側と右側のそれぞれの照明装置の白色ＬＥＤの照度比（以下、単に照度比という場合がある）は増大している。具体的には、Ｘ＝０ｍｍからＸ＝−５００ｍｍに近づく程、照度比が１から６程度まで増大し、左側の照明装置の白色ＬＥＤのみを点灯させた際の照度が右側の照明装置の白色ＬＥＤのみを点灯させた際の照度の約６倍になっている。また、Ｘ＝０ｍｍからＸ＝＋５００ｍｍに近づく程、照度比は同様に１から６程度まで増大し、右側の照明装置の白色ＬＥＤのみを点灯させた際の照度が左側の照明装置の白色ＬＥＤのみを点灯させた際の照度の約６倍になっている。
【００７１】
図１０に示す結果をふまえて、鏡の表面側から見て左右両側の照明装置の白色ＬＥＤに等しく２．８８Ｖの電圧を印加し、点灯させた際の照射面における照度分布を測定した結果を図１１に示す。図１１には、参考として鏡の大きさを破線で示している。図１２は、図１１に示す照度分布において、測定位置Ｙ＝０ｍｍでの照度の横方向の観測位置による変化を抽出したグラフである。図１１および図１２を見てわかるように、鏡の左右両側の照明装置の白色ＬＥＤを点灯させた場合、照射面における鏡の大きさの範囲内（すなわち、Ｘ＝−６００ｍｍ〜Ｘ＝＋６００ｍｍ）における照度は、約２５００ｌｕｘから４０００ｌｕｘの範囲内であった。つまり、照射面における鏡の大きさの範囲内では、照度比が約１．６であって、最も高い照度が最も低い照度の１倍以上５倍以下であるので、照射面の照度がより均一であり、好ましい状態であるといえる。
【００７２】
以上説明した実施例によって、扉材の表面に単面鏡を貼り付けたミラー扉の少なくとも一方の端部に設けられた照明装置を用いて、簡易な構成で、鏡および扉材の表面からの離間距離が同一である照射面での照度を均一にすることが可能であることを確認した。本実施例の結果をふまえると、上述した本実施形態の照明装置２０によって、図６に示すように、光源２２から発せられた光が照射面Ｓに沿って均一に照射されることが容易に推測される。
【符号の説明】
【００７３】
６  ミラーキャビネット
１０Ａ，１０Ｃ  ミラー扉（照明付き鏡）
１３  扉材（取付基体）
１３ａ  表面
１３ｂ  裏面
１３ｐ，１３ｑ  端部（一方の端部）
１４  ミラー（鏡）
２０  照明装置
２２  光源
２３  出射面
２４  配光調整部材
３０  導光板
３０ｂ  側面（取付基体の表面に対向する面）
３６  出射方向調整部
３７  プリズム
ｄ  離間距離
Ｓ  照射面
【図１】
2018056050.tif 000003
【図２】
2018056050.tif 000004
【図３】
2018056050.tif 000005
【図４】
2018056050.tif 000006
【図５】
2018056050.tif 000007
【図６】
2018056050.tif 000008
【図７】
2018056050.tif 000009
【図８】
2018056050.tif 000010
【図９】
2018056050.tif 000011
【図１０】
2018056050.tif 000012
【図１１】
2018056050.tif 000013
【図１２】
2018056050.tif 000014